(57)【特許請求の範囲】
【請求項１】
水洗いされた洋服の上襟を適正に保形し、その型崩れを防止するために用いられる洋服の襟保形具であって、洋服の上襟に設けられた折り返し部を下方から挟持する一対の挟持部と、この挟持部を上記折り返し部の挟持方向に付勢する付勢手段とを備え、上記挟持部の下端部に下方に延びる延長部を設けるとともに、この延長部に重錘を設け、上記両挟持部により挟持された上襟の折返し部に上記重錘の重量を作用させるように構成したことを特徴とする洋服の襟保形具。
【請求項２】
上記両挟持部を、洋服の上襟に対応させて平面から見て円弧状に湾曲させたことを特徴とする請求項１記載の洋服の襟保形具。
【請求項３】
上記付勢手段の付勢力に抗して両挟持部を上記折り返し部の挟持解除方向に揺動変位させる操作部を設けたことを特徴とする請求項１または請求項２記載の洋服の襟保形具。
【発明の詳細な説明】
【０００１】
【発明の属する技術分野】
本発明は、洋服の襟部を型崩させることなく適正に保形する洋服の襟保形具に関するものである。
【０００２】
【従来の技術】
一般に、羊毛、絹等の動物繊維からなる洋服は、水を使用することなく有機溶剤によって汚れの主成分である脂肪質等を溶解させるドライクリーニング法によって洗濯されていた。このドライクリーニング法では、汗等の水溶性の汚れを落すのが困難であるとともに、有機溶剤によって環境に悪影響が与えられる虞があるため、水と洗剤とを使用するウェットクリーニング法によってジャケット等の洋服を水洗いする方法が提案されている。
【０００３】
しかし、上記ジャケット等の洋服を水洗いした場合には、これを適正形状に保持した状態で乾燥させないと、洋服に型崩れが生じ易いという問題がある。特に洋服の襟部に型崩れが生じて、襟部の内面に取り付けられた芯地（カラークロス）が外部に露出した状態となると、外観が著しく損なわれるという問題がある。このため、例えば特開昭５８−３０９６５号公報に示されるように、可撓性を有するシート状素材からなる襟保持部材を襟部内に設置することにより、この襟部の形状を効果的に保持することが行われている。
【０００４】
【発明が解決しようとする課題】
上記公報に開示された襟保形部材は、ワイシャツの首部に設けられたボタンに係止されることにより、その抜け落ちを防止するように構成されているため、首部にボタンが設けられていないスーツの上衣またはジャケット等には使用することができないという欠点がある。また、上記襟保形部材は、ワイシャツの襟部内に設置されてこの襟部を円弧状に湾曲させた形状に保持するように構成され、上襟の折り返し部が捲れ上がるのを抑制することが困難であるため、上記芯地が外部に露出した状態となる型崩れが生じるのを効果的に防止することができないという問題がある。
【０００５】
本発明は、このような事情に鑑み、簡単な構成で水洗いされた洋服の上襟を適正に保形し、その型崩れを効果的に防止することができる洋服の襟保形具を提供するものである。
【０００６】
【課題を解決するための手段】
請求項１に係る発明は、水洗いされた洋服の上襟を適正に保形し、その型崩れを防止するために用いられる洋服の襟保形具であって、洋服の上襟に設けられた折り返し部を下方から挟持する一対の挟持部と、この挟持部を上記折り返し部の挟持方向に付勢する付勢手段とを備え、上記挟持部の下端部に下方に延びる延長部を設けるとともに、この延長部に重錘を設け、上記両挟持部により挟持された上襟の折返し部に上記重錘の重量を作用させるように構成したものである。
【０００７】
上記構成によれば、付勢手段の付勢力に応じて上襟の折り返し部が両挟持部によって挟持された状態で、この上襟の折返し部に上記重錘の重量が作用することにより、この折り返し部が捲れ上がることに起因した型崩れが効果的に防止されることになる。
【００１０】
請求項２に係る発明は、上記請求項１に記載の洋服の襟保形具において、上記両挟持部を、洋服の上襟に対応させて平面から見て円弧状に湾曲させたものである。
【００１１】
上記構成によれば、両挟持部によって上襟の折り返し部が挟持されることにより、洋服の上襟が円弧状に湾曲した状態に保形されることになる。
【００１２】
請求項３に係る発明は、上記請求項１または２に記載の洋服の襟保形具において、上記付勢手段の付勢力に抗して両挟持部を上記折り返し部の挟持解除方向に揺動変位させる操作部を設けたものである。
【００１３】
上記構成によれば、両挟持部によって上襟の折り返し部を挟持する際およびこの折り返し部の挟持状態を解除する際に、上記操作部によって両挟持部を挟持解除方向に揺動変位させることにより、上記挟持作業および挟持状態の解除作業が容易に行われることになる。
【００１４】
【発明の実施の形態】
図１〜図３は、本発明に係る洋服の襟保形具３０の実施形態を示している。この洋服の襟保形具３０は、プラスチック材等からなる第１挟持部３１および第２挟持部３２と、第１挟持部３１の下端部から下方に伸びる所定幅の延長部３３と、第２挟持部３２の下端部から斜め下方に伸びる所定幅の操作部３４と、上記両挟持部３１，３２を揺動自在に連結する連結軸３５と、両挟持部３１，３２の内面を互いに当接させる方向に付勢する捩じりコイルばねからなる付勢手段３６とを有している。
【００１５】
上記第１挟持部３１および第２挟持部３２は、左右方向の長さ寸法が５〜１０ｃｍ程度に設定されるとともに、上下方向の幅寸法が１〜３ｃｍ程度に設定された板状に形成されている。また、上記両挟持部３１，３２は、平面から見て、洋服の上襟に対応した曲率で円弧状に湾曲し、その内壁面には、スポンジゴム、フェルト材または不織布等からなる緩衝材３７がそれぞれ取り付けられている。
【００１６】
上記第１挟持部３１および第２挟持部３２の下辺部中央部には、上記延長部３３および操作部３４がそれぞれ一体に突設され、上記延長部３３には、鋼板材等からなる重錘３８が接着等の手段で取り付けられている。また、上記延長部３３および操作部３４の両側辺部には、上記連結軸３５の挿通孔を有する連結ブラケット３９，４０がそれぞれ突設されている。
【００１７】
そして、上記両連結ブラケット３９，４０の挿通孔に連結軸３５を挿通させて取り付けることにより、この連結軸３５を介して両挟持部３１，３２が揺動自在に連結されるようになっている。また、上記連結軸３５に取り付けられた付勢手段３６によって上記延長部３３と操作部３４とが互いに離間する方向に付勢されることにより、第１挟持部３１の内面に取り付けられた緩衝材３７と、第２挟持部３２の内面に取り付けられた緩衝材３７とが当接した状態に保持されることになる。
【００１８】
また、上記操作部３４を延長部３３に接近させる方向に押動することにより、図３に示すように、上記連結軸３５を支点に第２挟持部３２を揺動変位させ、上記付勢手段３６の付勢力に抗して第１挟持部３１と第２挟持部３２とを離間させることができるように構成されている。
【００１９】
図４〜図６は、上記襟保形具３０と併せて使用される立体ハンガーを示し、この立体ハンガーは、ハンガー本体１と、このハンガー本体１の上端部に設けられた吊下用フック２と、ハンガー本体１の左右両側辺部に上下に離間した状態で取り付けられた第１〜第６ウイング３〜８とを有している。
【００２０】
上記第１〜第６ウイング３〜８は、上下方向に所定間隔を置いてハンガー本体１に取り付けられるとともに、平面から見て所定の大きさで略Ｕ字状に形成されることにより、人体の上半身に対応した立体形状を構成している。すなわち、最上方に位置する第１ウイング３が最も小さく形成されるとともに、下方に位置するものほど段階的に大きく形成されることにより、各ウイング３〜８の外周面を結ぶラインによって人体の首部から肩部に対応した立体形状が構成されている。
【００２１】
この実施形態では、各ウイング３〜８の前辺部を直線状に形成するとともに、各ウイング３〜８の側辺部および後辺部を、人間の上半身に対応した形状に湾曲させている（図５および図６参照）。例えば、成人の標準体形をコンピュータ解析する等によって得られた上半身の体形データに基づいて、各ウイング３〜８の側辺部および後辺部を結ぶラインが、人間の上半身に対応した曲線を構成するように、上記側辺部および後辺部の外形が設定されている。
【００２２】
また、立体ハンガーの使用時に、洋服の荷重が集中的に作用する肩部上端のコーナー部に位置する第５ウイング７は、図４および図８の仮想線に示すように、外周部の上下寸法等が他のウイング３〜６，８に比べて大きく形成されるとともに、図５に示すように、第５ウイング７の前辺部と後辺部とが複数の補強リブ７１を介して互いに連結されている。これによって立体ハンガーの使用時に、洋服の重量が上記第５ウイング７に集中的に作用した場合においても、この第５ウイング７の強度が充分に確保されることになる。
【００２３】
上記第１〜第６ウイング３〜８の基端部内面には、図７に示すように、揺動支点となる支持ピン９と、上記各ウイング３〜８の揺動変位を規制することによって各ウイング３〜８を拡開状態および折畳み状態に係脱可能に係止する半球状の突部１０とがそれぞれ突設され、上記支持ピン９を支点にして各ウイング３〜８が揺動可能な状態でハンガー本体１に支持されている。なお、図７は、第２ウイング４について図示したものであるが、他のウイングについても同様に構成されている。
【００２４】
上記ハンガー本体１は、図８に示すように、前面板１０および背面板１１と、天板１２および底板１３とを備えた上窄まり形状の箱状体からなり、上記前面板１０の下方部と背面板１１の下方部とが連結プレート１４で連結されるとともに、上記天板１２の下面には吊下用フック２の取付部となる筒状部１５が突設されている。上記背面板１１は、第１ウイング３の設置部において上記前面板１０との間隔が最も狭く形成されるとともに、下方に位置する第２〜第５ウイングの設置部において上記前面板１０との間隔が次第に広くなるように、側面から見て階段状に形成されている。
【００２５】
上記ハンガー本体１の前面板１０および後面板１１には、図９に示すように、第１〜第６ウイング３〜８の支持ピン９が挿入される支持孔１６が各ウイング３〜８の取付部にそれぞれ設けられるとともに、上記支持孔１６の内側方部および下方部には、各ウイング３〜８の突部１０が係合される半球状の第１凹部１７と第２凹部１８とがそれぞれ形成されている。また、上記第１凹部１７の上方には、各ウイング３〜８の基端部上面にそれぞれ当接して各ウイング３〜８を水平に拡開した状態に保持する第１突片１９が突設されている。さらに、上記第２凹部１８の外側方には、上記支持ピン９の設置部よりも外側方側に位置する部分の下面にそれぞれ当接して各ウイング３〜８を水平に拡開した状態に保持する第２突片２０が突設されている。
【００２６】
上記各ウイング３〜８の設置部に形成された各支持孔１６は、それぞれ上記前面板１０の外側辺部に沿って設置されている。これによって上記各支持孔１６に挿入される支持ピン９は、下方に位置するものほど、ハンガー本体１の中央部までの距離が次第に大きくなるように配列されることになる。
【００２７】
そして、立体ハンガーの使用時には、各ウイング３〜８の突部１０がハンガー本体１の第１凹部１７に嵌入されることにより、図４および図６に示すように、各ウイング３〜８が水平に拡開された状態に係止され、かつ各ウイング３〜８の基端部上面が上記第１突片１９の下面に当接するとともに、上記支持ピン９の設置部よりも外側方側に位置する部分の下面が上記第２突片２０の上面に当接することにより、各ウイング３〜８がそれぞれ上記拡開状態で保持されるようになっている。また、立体ハンガーの不使用時には、上記突部１０がハンガー本体１の第２凹部１８内に嵌入されることにより、図１０および図１１に示すように、各ウイング３〜８が鉛直方向に折畳まれた状態に係止されることになる。
【００２８】
上記吊下用フック２は、図１２に示すように、円弧状のフック本体２１と、このフック本体２１の下端部から下方に伸びる取付部２２とを有し、この取付部２２には、その下端部から上方に伸びるスリット２３が形成されている。また、上記取付部２２の下端部には、先窄まりのテーパ面を有する逆止突起２４が形成されるとともに、上記取付部２２の上部外周には、リング状の係止部２５が形成されている。そして、上記逆止突起２４のテーパ面がハンガー本体１の筒状部１５に圧接され、上記スリット２３の開口幅が狭められた状態で、図１３に示すようにフック２の取付部２２が上記筒状部１５内に挿入されて回動自在に支持されるように構成されている。
【００２９】
上記構成の襟保形具３０および立体ハンガーを使用して水洗いされた洋服を乾燥させる場合には、図１４および図１５に示すように、洋服の首部上縁４１と、この首部上縁４１の外面側に折り返された所定幅の折り返し部４２と、この折り返し部４２および上記首部上縁４１の内面に取り付けられた芯地（カラークロス）４３とからなる上襟４４に襟保形具３０を取り付ける。
【００３０】
すなわち、襟保形具３０の操作部３４を押動して図３に示すように、第１挟持部３１と第２挟持部３２とを離間させた状態で、上襟４４の下方側から上記首部上縁４１と折り返し部４２との間に第１挟持部３１を挿入する。その後、上記操作部３４の押動状態を解除することにより、上記付勢手段３６の付勢力に応じて第２挟持部３２を揺動変位させ、その内面に設けられた緩衝材３７を上記折り返し部４２に圧接させる。
【００３１】
上記のようにして第１挟持部３１と第２挟持部３２により上襟４４の折り返し部４２が下方から挟持された状態で、襟保形具３０が上襟４４に取り付けられ、この襟保形具３０に設けられた上記重錘３８の重量に応じ、上記折り返し部４２が下方に引っ張られてその捲れ上がりが防止されることになる。
【００３２】
また、上記立体ハンガーの各ウイング３〜８を水平に拡開した状態で係止するとともに、上記吊下用フック２を物干し竿等に引掛て立体ハンガーを吊下した状態で、上記襟保形具３０が上襟４４に取り付けられた洋服を各ウイング３〜８に保持させる。このようにして水洗いされた洋服の上襟４４を襟保形具３０によって保形するとともに、洋服の肩部等を各ウイング３〜８によって立体形状に保持した状態で洋服を乾燥させる。
【００３３】
なお、上記立体ハンガーの不使用時には、各ウイング３〜８に形成された半球状の突部１０を、ハンガー本体１の第１凹部１７から離脱させて各ウイング３〜８の係止状態を解除した後、各ウイング３〜８を起立させる方向に揺動変位させるとともに、上記突部１０をハンガー本体１の第２凹部１８に係合させることにより、各ウイング３〜８を折畳み状態に係止する。また、吊下用フック２の取付部２２を、図１３の実線で示す上方の引出状態から、図１３の仮想線で示すように押し下げることにより格納状態に移行させる。
【００３４】
上記のように洋服の上襟４４に設けられた折り返し部４２を挟持する一対の挟持部３１，３２と、この両挟持部３１，３２を折り返し部４２の挟持方向に付勢する付勢手段３６とを設けるとともに、上記両挟持部３１，３２によって洋服の折り返し部４２を挟持した状態で、上記重錘３８の重量により折り返し部４２を下方に引っ張って上襟４４を保形するように構成したため、この上襟４４が型崩れするのを確実に防止した状態で、水洗いされた洋服を適正に乾燥することができる。
【００３５】
すなわち、襟保形具３０に設けられた重錘３８の重量に応じて上記折り返し部４２を下方に引っ張ることにより、この折り返し部４２が捲れ上がるように変形するのを防止した状態で、洋服を乾燥させることができるため、上記上襟４４の折り返し部４２が捲れ上がった状態となる型崩れの発生を効果的に防止しつつ、水洗いされた洋服を適正に乾燥することができる。
【００３６】
したがって、洋服の乾燥後に上襟４４内に配設された芯地４３が外部に露出した状態となるのを効果的に防止し、洋服の外観を適正に維持することができる。しかも、上記襟保形具３０の第１挟持部３１と第２挟持部３２とによって上襟４４の折り返し部４２を挟持することによって上記襟保形具３０を取り付けることができるため、この襟保形具３０が離脱するのを効果的に防止した状態で、スーツの上衣またはジャケット等からなる洋服の上襟４４に上記襟保形具３０を容易かつ適正に取り付けることができる。
【００３７】
なお、上記折り返し部４２の捲れ上がりを効果的に防止するためには、上記重錘３８の重量を５０〜１００ｇ程度に設定することが望ましいが、この重錘３８の重量は、上記の値に限定されることなく、上襟４４を構成する生地の剛性等に応じて種々の値に変更可能である。また、上記延長部３３に重錘３８の取付孔等を設け、この取付孔等に重錘３８を着脱自在に取り付けるように構成してもよく、このように構成した場合には、重錘３８を重量の異なるものと交換することにより、上記上襟４４の剛性等に応じて折り返し部４２に作用する引張り力を変化させることができる。
【００３８】
上記実施形態では、襟保形具３０の両挟持部３１，３２を、洋服の上襟４４に対応させて平面から見て円弧状に湾曲させたため、第１挟持部３１と第２挟持部３２とによって上記折り返し部４２を挟持することにより、上記上襟４４を平面から見て円弧状に湾曲させた状態で保持することができる。したがって、上記両挟持部３１，３２を偏平に形成した場合のように、上記折り返し部４２が両挟持部３１，３２により挟持されて偏平に変形するという事態の発生を効果的に防止することができる。
【００３９】
また、上記実施形態では、捩じりコイルばねからなる上記付勢手段３６の付勢力に抗して両挟持部３１，３２を上記折り返し部４２の挟持解除方向に揺動変位させる操作部３４を設けたため、上記両挟持部３１，３２によって上襟４４の折り返し部４２を挟持する際およびこの折り返し部４２の挟持状態を解除する際に、上記操作部３４を持って第２挟持部３２を揺動変位させて両挟持部３１，３２を挟持解除方向に揺動変位させることにより、上記挟持作業および挟持状態の解除作業を容易に行うことができる。
【００４０】
さらに、上記実施形態に示すように、第１挟持部３１および第２挟持部３２の内面に、所定の厚みを有するスポンジゴム、フェルト材または不織布等からなる緩衝材３７を取り付けるようにした構成によると、上記付勢手段３６の付勢力を大きく設定した場合においても、上記両挟持部３１，３２によって挟持される上記折り返し部４２に両挟持部３１，３２の挟持跡が残ることを効果的に防止することができる。
【００４１】
なお、上記実施形態では、捩じりコイルばねからなる付勢手段３６によって両挟持部３１，３２を上記折り返し部４２の挟持方向に付勢するように構成した例について説明したが、この構成に代えて上記両挟持部３１，３２をその基端部において一体に連結し、この連結部を弾性変形させてその復元力により両挟持部３１，３２を折り返し部４２の挟持方向に付勢するように構成してもよい。
【００４２】
また、上記実施形態に示すように、ハンガー本体１の左右両側辺部に第１〜第６ウイング３〜８を上下方向に離間させた状態で取り付け、各ウイング３〜８の外周面によって人体の首部から肩部に対応した立体形状が形成されるように各ウイング３〜８の大きさおよび形状をそれぞれ設定してなる立体ハンガーを、上記襟保形具３０と併せて使用した場合には、水洗いされた洋服の上部全体を型崩れさせることなく、立体形状に保持した状態で適正に乾燥させることができる。しかも、上記のように各ウイング３〜８を上下方向に離間させた状態で配列したため、洋服の内面が広範囲に亘ってハンガーに密着されることがなく、洋服の通気性を充分に確保して洋服を迅速に乾燥させることができる。
【００４３】
特に、上記実施形態に示すように、成人の標準体形をコンピュータ解析することにより得られた体形データ等に基いて、各ウイング３〜８の側辺部および後辺部を結ぶラインを人間の上半身に対応した形状に湾曲させた場合には、高剛性の芯地がないために、前面部に比べて型崩れを生じ易いジャケット等の側面部および後面部を、上記各ウイング３〜８によって人体の首部から肩部に対応した立体形状に適正に保持し、上記ジャケット等の型崩れを効果的に防止することができる。なお、洋服の前面部が型崩れするのを効果的に防止できるようにするため、上記各ウイング３〜８の前辺部を人間の胸部に対応した形状に形成してもよい。
【００４４】
また、上記各ウイング３〜８をハンガー本体１に固定した構造としてもよいが、上記実施形態に示すように、各ウイング３〜８の基端部に設けられた支持ピン９を支点にして各ウイング３〜８を揺動可能に支持するように構成した場合には、立体ハンガーの不使用時に、各ウイング３〜８を拡開状態から折畳み状態に移行させてコンパクト化することができるため、上記立体ハンガーの保管および搬送等を容易に行うことができる。
【００４５】
そして、各ウイング３〜８の基端部に設けられた半球状の突部１０と、ハンガー本体１に設けられた半球状の第１，第２凹部１７，１８とからなる第１，第２係止部を設け、各ウイング３〜８を拡開状態および折畳み状態に係脱可能に係止することにより、立体ハンガーの使用時に、各ウイング３〜８を水平に拡開した状態に安定して維持することができるとともに、立体ハンガーの不使用時に、各ウイング３〜８を折畳み状態に安定して維持することができる。
【００４６】
なお、上記支持ピン９をハンガー本体１の前面板１０および背面板１１の所定位置に突設するとともに、上記支持ピン９が嵌入される係止孔を各ウイング３〜８の基端部に設けた構造としてもよい。また、ハンガー本体１の前面板１０および背面板１１の所定位置に半球状の第１，第２突部を設けるとともに、各ウイング３〜８の基端部に半球状の凹部を設けることにより、各ウイング３〜８を拡開状態および折畳み状態に係脱可能に係止するように構成してもよい。
【００４７】
また、上記実施形態では、各ウイング３〜８の基端部上面および上記支持ピン９の設置部よりも外側方側に位置する部分の下面に当接して、各ウイング３〜８を水平に拡開した状態に保持する第１，第２突片１９，２０を、ハンガー本体１に設けたため、水洗いされた洋服を保持させる際に各ウイング３〜８に作用する荷重を、上記第１，第２突片１９，２０の設置部において安定して支持し、各ウイング３〜８が破損したり、折れ曲がって設置角度が変化したりするのを確実に防止することができる。なお、上記第１，第２突片１９，２０のいずれか一方を省略した構造としてもよい。
【００４８】
また、上記実施形態では、各ウイング３〜８の設置部に形成された各支持孔１６を、上窄まり形状に形成された上記前面板１０の外側辺部に沿って設置することにより、上記各支持孔１６に挿入される支持ピン９からハンガー本体１の中央部までの距離が下方に位置するものほど次第に大きくなるように、上記各ピン９を配列したため、最上方に位置する第１ウイング３をハンガー本体１の中央部に近い位置において鉛直方向に起立させるとともに、第１ウイング３の下方に位置する第２〜第６ウイング４〜８を、順次ハンガー本体１の外側方に配列して鉛直方向に起立させることにより、各ウイング３〜８を他のウイングに干渉させることなくコンパクトに折畳むことができる。
【００４９】
さらに、上記実施形態では、洋服の荷重が集中的に作用する肩部上端のコーナー部に配設された第５ウイング７の外周部の上下寸法を、他のウイング３〜６，８に比べて大きく形成するとともに、第５ウイング７の前辺部と後辺部とを連結する複数の補強リブ７１を設けることにより、上記荷重に対する第５ウイング７の強度が充分に確保されるように構成したため、この第５ウイング７が洋服の荷重に応じて破損するという事態の発生を効果的に防止することができる。しかも、作用する荷重が小さい他のウイング３〜６，８の上下寸法を小さくすることにより、立体ハンガーの重量を低減することができる。
【００５０】
また、図９に示すように、上記第５ウイング７に設けられた支持ピン９の設置位置から第５ウイング７の内側端部までの距離Ｌを、他のウイング３〜６，８よりも大きな値に設定した場合には、上記第５ウイング７の基端部を広範囲に亘って上記第１突片１９に当接させることにより、洋服を立体ハンガーに保持させた際に生じる大きな荷重を広範囲に分散させて支持することができるため、上記基端部が破損するのを効果的に防止できるという利点がある。
【００５１】
【発明の効果】
以上説明したように、請求項１に係る発明は、水洗いされた洋服の上襟を適正に保形し、その型崩れを防止するために用いられる洋服の襟保形具であって、洋服の上襟に設けられた折り返し部を下方から挟持する一対の挟持部と、この挟持部を上記折り返し部の挟持方向に付勢する付勢手段とを備え、上記挟持部の下端部に下方に延びる延長部を設けるとともに、この延長部に重錘を設け、上記両挟持部により挟持された上襟の折返し部に上記重錘の重量を作用させるように構成したため、この折り返し部が捲れ上がるような型崩れが生じるのを効果的に防止しつつ、水洗いされた洋服を適正に乾燥することができる。したがって、上記上襟部の折り返し部が捲れ上がった状態で洋服が乾燥するのを効果的に防止し、上襟部内に配設された芯地が外部に露出する等の型崩れを生じさせることなく、水洗いされた洋服を適正に乾燥することができる。しかも、上記第１挟持部と第２挟持部とを有する襟保形具を、スーツの上衣またはジャケット等の洋服の上襟部に対して容易に取り付けることができるという利点がある。
【００５３】
また、請求項２に係る発明は、上記両挟持部を、洋服の上襟に対応させて平面から見て円弧状に湾曲させたため、第１挟持部と第２挟持部とによって上記折り返し部を挟持することにより、洋服の上襟を円弧状に湾曲させた状態で保持することができ、上記両挟持部を偏平に形成した場合のように、折り返し部が上記両挟持部により挟持されて偏平に変形するという事態の発生を効果的に防止できるという利点がある。
【００５４】
また、請求項３に係る発明は、上記付勢手段の付勢力に抗して両挟持部を上記折り返し部の挟持解除方向に揺動変位させる操作部を設けたため、上記両挟持部によって上襟の折り返し部を挟持する際およびこの折り返し部の挟持状態を解除する際に、上記操作部を持って第２挟持部を揺動変位させて両挟持部を挟持解除方向に揺動変位させることにより、上記挟持作業および挟持状態の解除作業を容易に行うことができる。
【図面の簡単な説明】
【図１】本発明に係る洋服の襟保形具の実施形態を示す斜視図である。
【図２】上記襟保形具の構成を示す断面図である。
【図３】両挟持部を離間させた状態を示す断面図である。
【図４】上記襟保形具と同時に使用される立体ハンガーの構成を示す正面図である。
【図５】立体ハンガーの構成を示す平面図である。
【図６】立体ハンガーの構成を示す斜視図である。
【図７】ウイングの構成を示す平面図である。
【図８】ハンガー本体の構成を示す側面図である。
【図９】ハンガー本体の構成を示す正面図である。
【図１０】各ウイングの折畳み状態を示す正面図である。
【図１１】各ウイングの折畳み状態を示す斜視図である。
【図１２】吊下用フックの構成を示す説明図である。
【図１３】吊下用フックの取り付け状態を示す説明図である。
【図１４】上記襟保形具の取付状態を示す断面図である。
【図１５】上記襟保形具の取付状態を示す正面図である。
【符号の説明】
３０  襟保形具
３１  第１挟持部
３２  第２挟持部
３４  操作部
３６  付勢手段
４２  折り返し部
４４  上襟
【図１】
0003919904.tif 000002
【図２】
0003919904.tif 000003
【図３】
0003919904.tif 000004
【図４】
0003919904.tif 000005
【図５】
0003919904.tif 000006
【図６】
0003919904.tif 000007
【図７】
0003919904.tif 000008
【図８】
0003919904.tif 000009
【図９】
0003919904.tif 000010
【図１０】
0003919904.tif 000011
【図１１】
0003919904.tif 000012
【図１２】
0003919904.tif 000013
【図１３】
0003919904.tif 000014
【図１４】
0003919904.tif 000015
【図１５】
0003919904.tif 000016